(57)【要約】  【課題】ハンガー同しが引っかかって絡み合うことがない、ハンガーとポールとの組み合わせからなる衣類用ハンガーセットを提供する。  【解決手段】衣類を掛けるためのハンガー本体２の頂部には、軸部４を介して該軸部４より大きな非フック形状の例えば球形の頭部５が結合されている。ハンガーを脱着自在に吊すためのパイプ状のハンガーポール６には、その管璧に、ハンガーの頭部５を、その管璧の内側に受け入れるための挿入穴７と、ハンガーの軸部４をスライド自在に受け入れ該ハンガーの頭部５を、その管璧の内側に係止するための係止溝８とが形成されている。【選択図】図１
2006230946.tif 000002
【特許請求の範囲】
【請求項１】
衣類を掛けるためのハンガー本体の頂部に軸部を介して該軸部の幅より大きな幅を有する非フック形状の頭部が結合されたハンガーと、該ハンガーを脱着自在に吊すためのパイプ状のハンガーポールとを備え、前記ハンガーポールの管璧に、前記頭部を前記管璧の内側に受け入れるための挿入穴と、前記軸部をスライド自在に受け入れ前記頭部を前記管璧の内側に係止するための係止溝とを形成したことを特徴とする衣類用ハンガーセット。
【請求項２】
前記非フック形状の頭部は、該頭部同しを互いに接触させたとき引っかかり部分のない、立体形状に形成されていることを特徴とする請求項１に記載の衣類用ハンガーセット。
【請求項３】
前記非フック形状が、球形、長円形のボール状、四角立体形状、ハート形立体形状、リング形の中のいずれか１つの形状であることを特徴とする請求項２に記載の衣類用ハンガーセット。
【請求項４】
前記ハンガーポールを透明体で構成し、前記ハンガーの頭部の表面にブランドマークを表示したことを特徴とする請求項１に記載の衣類用ハンガーセット。
【請求項５】
前記ハンガーポールの管璧に前記軸部を該ハンガーポールの長手方向に沿ってスライド自在に案内するレール状の係止溝を設けたことを特徴とする請求項１に記載の衣類用ハンガーセット。
【発明の詳細な説明】
【技術分野】
【０００１】
本発明は、衣類用ハンガーセットに関する。
【背景技術】
【０００２】
衣類などをタンスなどの収納家具に収納するためのハンガーや、商品として衣類を店舗内に陳列するためのハンガーや、洗濯した衣類を乾かすためハンガーは、ハンガー本体をポールや物干し竿に吊すために、ハンガー本体の頂部にフック部が形成されている（例えば特許文献１参照）。
【特許文献１】特開２００３−３３４３９９号公報
【発明の開示】
【発明が解決しようとする課題】
【０００３】
従来のハンガーは、複数のハンガーを使用する場合、フック部分が他のハンガーに引っかかり、ハンガー同しが絡んでしまうことがある。そのため、取り扱いに手間がかかり、また煩わしかった。また、フック部分が衣類にも引っかかりやすく、衣類を傷めることがあった。また、ハンガーに掛けた洗濯物を屋外に干す際、風が強いとフック部分が物干し竿から外れ、洗濯物が落ちてしまうことがある。
本発明は上記問題点を解決することを目的とするものである。
【課題を解決するための手段】
【０００４】
上記目的を達成するため本発明は、衣類を掛けるためのハンガー本体の頂部に軸部を介して該軸部の幅より大きな幅を有する非フック形状の頭部が結合されたハンガーと、該ハンガーを脱着自在に吊すためのパイプ状のハンガーポールとを備え、前記ハンガーポールの管璧に、前記頭部を前記管璧の内側に受け入れるための挿入穴と、前記軸部をスライド自在に受け入れ前記頭部を前記管璧の内側に係止するための係止溝とを形成したものである。
また本発明は、前記非フック形状の頭部は、該頭部同しを互いに接触させたとき引っかかり部分のない、立体形状に形成されていることを特徴とするものである。
また本発明は、前記非フック形状が、球形、長円形のボール状、四角立体形状、ハート形立体形状、リング形の中のいずれか１つの形状であることを特徴とするものである。
また本発明は、前記ハンガーポールを透明体で構成し、前記ハンガーの頭部の表面にブランドマークを表示したものである。
また本発明は、前記ハンガーポールの管璧に前記軸部を該ハンガーポールの長手方向に沿ってスライド自在に案内するレール状の係止溝を設けたものである。
【発明の効果】
【０００５】
本発明は、ハンガー同しの引っかかり絡みあいを防止することができる。また、ハンガーの頭部が衣類にも引っかかることがないので、衣類を傷めることがなく、また、洗濯物を屋外に干す際にも、多少の強風が吹いてもハンガーが落ちにくい等の効果が存する。
【発明を実施するための最良の形態】
【０００６】
以下に本発明の実施の形態を添付した図面を参照して詳細に説明する。
図中、符号２は、ハンガー１の本体であり、これの頂部に取付部３が設けられている。取付部３は、ハンガー本体２に結合された軸部４と、該軸部４に結合された、該軸部４の幅よりも大きな幅を有する立体物からなる非フック形状の頭部５とから構成されている。
【０００７】
本実施形態では、前記頭部５は、球体により構成しているが、特に球体に限定されるものではなく、非フック形状のものであれば、図３に示すように、コイン形状体５ａや、長円形のボール状体５ｂ、縦型又は横型の四角状の立体物５ｃ、ハート型立体物５ｄ、リング形状体（図示省略）その他の形状とすることが可能である。６はハンガーポールであり、透明なアクリル材からなるパイプにより構成され、その管壁に、頭部５を受け入れる径を有する挿入穴７と、前記軸部４を受け入れる幅を有する、前記頭部５を前記管璧の内側に係止するための係止溝８が穿設され、これらはハンガー脱着穴９を構成している。
【０００８】
前記ハンガー脱着穴９は、ハンガーポール６の全長にわたって所定間隔置きに多数設けられている。前記ハンガーポール６をブティック等で使用する場合、前記ハンガーポール６の管璧の表面に、ハンガー脱着穴９ごとに、等間隔でディスプレイを設けるようにしても良い。
【０００９】
上記した構成において、ハンガーポール６にハンガー１を取り付けるには、ハンガー１の頭部５を、挿入穴７に挿入し、しかる後、頭部５を挿入穴７からずらして、軸部４を係止溝８内に移動させれば、頭部７は、ハンガーポール６内で係止溝８に係止され、ハンガー１をハンガーポール６に吊り下げることができる。ハンガー１をハンガーポール６から外すには、頭部５を係止溝８からずらし、挿入穴７に合わせ、該挿入穴７から引き出せば良い。
【００１０】
上記実施形態では、ハンガーポール６に取り付けたハンガー１をハンガーポール６に沿ってスライドできないが、図５に示すように、ハンガー１の軸部４を、ハンガーポール６の長手方向にスライド自在に案内するレール状の係止溝１０を、ハンガーポール６の下面に穿設することで、ハンガーポール６に取り付けたハンガー１を係止溝１０に沿って移動させることが可能となる。
【００１１】
また、図６に示すように、ハンガーポール６の長手方向の両端の近傍に下向きに開口する挿入穴１１，１２を設け、これら挿入穴１１，１２間に軸部４をスライド自在に案内するレール状の係止溝１３を設けることで、挿入穴１１又は１２から挿入した多数のハンガーを係止溝１３に沿って任意の位置にスライド自在に移動させることができる。
【００１２】
上記実施形態では、ハンガーポール６に、ハンガーの球形頭部５に対応した円形の挿入穴７，１１，１２が形成されているが、コイン形状頭部５ａ用の挿入穴１４の一例が図４に示されている。ハンガーポール６は、その他、図示しないが、使用するハンガーの頭部の形状に対応して、種々の形状の挿入穴を形成したものが用意される。
【００１３】
本実施形態では、ハンガーの頭部は、球形、コイン形、四角立体形、ハート形等、広い表面を有する立体物から構成されるため、これらの表面部分に図３（Ａ）に示すように、ブランドマーク１５などを表示することができる。
【図面の簡単な説明】
【００１４】
【図１】本発明の説明図である。
【図２】本発明の断面説明図である。
【図３】本発明の他の実施形態を示す説明図である。
【図４】本発明の他の実施形態を示す説明図である。
【図５】本発明の他の実施形態を示す説明図である。
【図６】本発明の他の実施形態を示す説明図である。
【符号の説明】
【００１５】
１      ハンガー
２      ハンガー本体
３      取付部
４      軸部
５      頭部
６      ハンガーポール
７      挿入穴
８      係止溝
９      ハンガー脱着穴
１０    係止溝
１２    挿入穴
１３    係止溝
１４    挿入穴
１５    ブランドマーク
【図１】
2006230946.tif 000003
【図２】
2006230946.tif 000004
【図３】
2006230946.tif 000005
【図４】
2006230946.tif 000006
【図５】
2006230946.tif 000007
【図６】
2006230946.tif 000008